(57)【要約】【課題】太陽電池モジュールの発電量が低下することを抑制する。【解決手段】太陽電池モジュール１は、第１方向Ｄ１に沿って配置された複数の太陽電池セルを備える太陽電池モジュールであって、複数の太陽電池セルのうち第１方向Ｄ１の一方端部に配置された一方の太陽電池セルＣ１１と、複数の太陽電池セルのうち第１方向Ｄ１の他方端部に配置された他方の太陽電池セルＣ１６とを備える。一方の太陽電池セルＣ１１および他方の太陽電池セルＣ１６は、第１方向Ｄ１と直交する第２方向Ｄ２から見た場合に、一方の太陽電池セルＣ１１の裏面１１ｂの両端点ｅ１、ｅ２を結ぶ第１直線ｆ１と他方の太陽電池セルＣ１６の裏面１１ｂの両端点ｅ１、ｅ２を結ぶ第２直線ｆ２とが互いに交差するように配置され、かつ、電気的に並列接続されている。【選択図】図６
2020167280.tif 000002
【特許請求の範囲】
【請求項１】
第１方向に沿って配置された複数の太陽電池セルを備える太陽電池モジュールであって、
前記複数の太陽電池セルのうち前記第１方向の一方端部に配置された一方の太陽電池セルと、
前記複数の太陽電池セルのうち前記第１方向の他方端部に配置された他方の太陽電池セルと、
を備え、
前記一方の太陽電池セルおよび前記他方の太陽電池セルは、前記第１方向と直交する第２方向から見た場合に、前記一方の太陽電池セルの裏面の両端点を結ぶ第１直線と前記他方の太陽電池セルの裏面の両端点を結ぶ第２直線とが互いに交差するように配置され、かつ、電気的に並列接続されている
太陽電池モジュール。
【請求項２】
前記第２方向に沿って配置された複数の前記一方の太陽電池セルを有する一方のセル群と、
前記第２方向に沿って配置された複数の前記他方の太陽電池セルを有する他方のセル群と、
を備え、
前記一方のセル群内にて隣り合う前記一方の太陽電池セルは、直列接続され、
前記他方のセル群内にて隣り合う前記他方の太陽電池セルは、直列接続され、
前記一方のセル群の前記一方の太陽電池セルおよび前記他方のセル群の前記他方の太陽電池セルは、電気的に並列接続されている
請求項１に記載の太陽電池モジュール。
【請求項３】
前記第１方向に並ぶ前記太陽電池セルの端点のうち前記第１方向において最外に位置する２つの端点を結ぶ直線を第１基準直線とした場合、
前記一方の太陽電池セルは、前記第１直線が前記第１基準直線に対して第１の傾きを有するように配置され、
前記他方の太陽電池セルは、前記第２直線が前記第１基準直線に対して第２の傾きを有するように配置され、
前記第１の傾きおよび前記第２の傾きは、前記第１基準直線を基準として、異なる回転方向に傾いている
請求項２に記載の太陽電池モジュール。
【請求項４】
前記一方のセル群は、複数の前記一方の太陽電池セルのうち前記第２方向の一方端部に配置された太陽電池セルと、前記第２方向の他方端部に配置された太陽電池セルとを有し、
前記第２方向に並ぶ前記太陽電池セルの端点のうち前記第２方向において最外に位置する２つの端点を結ぶ直線を第２基準直線とした場合で、かつ、
前記第１方向から見た場合に、当該一方端部に配置された太陽電池セルの裏面の両端点を結ぶ第３直線は、前記第２基準直線に対して、前記第１の傾きおよび前記第２の傾きの少なくとも一方よりも小さな傾きで配置され、
当該他方端部に配置された太陽電池セルの裏面の両端点を結ぶ第４直線は、前記第２基準直線に対して、前記第１の傾きおよび前記第２の傾きの少なくとも一方よりも小さな傾きで配置されている
請求項３に記載の太陽電池モジュール。
【請求項５】
前記一方のセル群の前記太陽電池セルの数は、前記他方のセル群の前記太陽電池セルの数と同じである
請求項２〜４のいずれか１項に記載の太陽電池モジュール。
【請求項６】
さらに、前記複数の太陽電池セルを内包する板状のパネルを備え、
前記パネルは、前記第２方向から見た場合に、少なくとも一部が湾曲状の形状を有している
請求項１〜５のいずれか１項に記載の太陽電池モジュール。
【発明の詳細な説明】
【技術分野】
【０００１】
本発明は、複数の太陽電池セルを備える太陽電池モジュールに関する。
【背景技術】
【０００２】
光エネルギーを電気エネルギーに変換する光電変換装置として、太陽電池モジュールの開発が進められている。太陽電池モジュールは、無尽蔵の太陽光を直接電気に変換できることから、また、化石燃料による発電と比べて環境負荷が小さくクリーンであることから、新しいエネルギー源として期待されている。
【０００３】
太陽電池モジュールは、行方向および列方向に配置された複数の太陽電池セルによって構成される。このような太陽電池モジュールの一例として、特許文献１には、自動車の曲面状のルーフに沿って配置された複数の太陽電池セルを有する太陽電池モジュールが開示されている。
【先行技術文献】
【特許文献】
【０００４】
【特許文献１】特開２０１２−３３５７３号公報
【発明の概要】
【発明が解決しようとする課題】
【０００５】
しかしながら、曲面状のルーフに沿って各太陽電池セルが配置されると、各太陽電池セルの受光面の向きが異なってしまう。そのため、各太陽電池セルに入射される日射量が異なり、各太陽電池セルで発生する電流値に差が生じてしまう。例えば、隣り合う太陽電池セルが直列接続されている場合、１つの太陽電池セルで発生する電流値が他よりも低いと、太陽電池モジュールにて得られる電流値が上記１つの太陽電池セルで発生する電流値に律速されてしまい、太陽電池モジュールの発電量が低下するという問題がある。
【０００６】
そこで本発明は、上記課題を解決するためになされたものであって、発電量が低下することを抑制する太陽電池モジュールを提供することを目的とする。
【課題を解決するための手段】
【０００７】
上記課題を解決するために、本発明に係る太陽電池モジュールは、第１方向に沿って配置された複数の太陽電池セルを備える太陽電池モジュールであって、前記複数の太陽電池セルのうち前記第１方向の一方端部に配置された一方の太陽電池セルと、前記複数の太陽電池セルのうち前記第１方向の他方端部に配置された他方の太陽電池セルと、を備え、前記一方の太陽電池セルおよび前記他方の太陽電池セルは、前記第１方向と直交する第２方向から見た場合に、前記一方の太陽電池セルの裏面の両端点を結ぶ第１直線と前記他方の太陽電池セルの裏面の両端点を結ぶ第２直線とが互いに交差するように配置され、かつ、電気的に並列接続されている。
【発明の効果】
【０００８】
太陽電池モジュールの発電量が低下することを抑制できる。
【図面の簡単な説明】
【０００９】
【図１】実施の形態に係る太陽電池モジュールの概観平面図である。
【図２】実施の形態に係る太陽電池セルの平面図である。
【図３】実施の形態に係る太陽電池セルの積層構造を表す断面図である。
【図４】実施の形態に係る太陽電池モジュールの列方向における構造断面図である。
【図５】実施の形態に係る太陽電池モジュールの太陽電池セルの配置例を示す図である。
【図６】実施の形態に係る太陽電池モジュールの太陽電池セルの接続例を模式的に示す図であり、図６の（ａ）は、太陽電池モジュールの平面図であり、図６の（ｂ）は、太陽電池モジュールを図６の（ａ）に示すＶＩｂ−ＶＩｂ線で切断した場合の断面図である。
【図７】実施の形態に係る太陽電池モジュールのタブ配線とわたり配線との接続点を示す拡大図である。
【図８Ａ】図６の（ｂ）に示す太陽電池モジュールの断面の拡大図である。
【図８Ｂ】図８Ａに示す太陽電池モジュールのＶＩＩＩＢ部分の拡大図である。
【図９Ａ】図６の（ａ）に示す太陽電池モジュールをＩＸ−ＩＸ線で切断した場合の断面の拡大図である。
【図９Ｂ】図９Ａに示す太陽電池モジュールのＩＸＢ部分の拡大図である。
【図１０】比較例の太陽電池モジュールにおける太陽電池セルの接続例を模式的に示す図である。
【図１１】実施の形態の変形例に係る太陽電池モジュールの太陽電池セルの接続例を模式的に示す図である。
【発明を実施するための形態】
【００１０】
以下では、本発明の実施の形態について、図面を用いて詳細に説明する。以下に説明する実施の形態は、いずれも本発明の好ましい一具体例を示すものである。したがって、以下の実施の形態で示される数値、形状、材料、構成要素、構成要素の配置および接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
各図は、模式図であり、必ずしも厳密に図示されたものではない。また、各図において、同じ構成部材については同じ符号を付している。
【００１２】
（実施の形態）
まず、太陽電池モジュールの基本構成について図１〜図４を参照しながら説明する。
【００１３】
［１．太陽電池モジュールの基本構成］
図１は、太陽電池モジュール１の概観平面図である。
【００１４】
図１に示すように、太陽電池モジュール１は、複数の太陽電池セル１１、タブ配線２０およびわたり配線３０を含むパネル１４と、枠体１５とを備える。
【００１５】
太陽電池セル１１は、太陽電池モジュール１の受光面に２次元状に配置され、光照射により電力を発生する平板状の光起電力素子である。タブ配線２０は、太陽電池セル１１の表面に配置され、列方向に隣り合う太陽電池セル１１を電気的に接続する配線部材である。わたり配線３０は、太陽電池ストリングどうしを電気的に接続する配線部材である。なお、太陽電池ストリングとは、列方向に配置されタブ配線２０により接続された複数の太陽電池セル１１の集合体である。パネル１４は、板状であり、２次元配列された複数の太陽電池セル１１、タブ配線２０およびわたり配線３０を内包している。枠体１５は、パネル１４の外周部を覆う外枠部材である。
【００１６】
図２は、太陽電池セル１１の平面図である。
【００１７】
図２に示すように、太陽電池セル１１は、平面視において略正方形状である。太陽電池セル１１は、例えば、縦１２５ｍｍ×横１２５ｍｍ×厚み２００μｍである。また、太陽電池セル１１の表面上には、ストライプ状の複数のバスバー電極１１２が互いに平行に形成され、バスバー電極１１２と直交するようにストライプ状の複数のフィンガー電極１１１が互いに平行に形成されている。バスバー電極１１２およびフィンガー電極１１１は、集電極１１０を構成する。
【００１８】
バスバー電極１１２の線幅は、例えば１５０μｍであり、フィンガー電極１１１の線幅は、例えば１００μｍであり、フィンガー電極１１１のピッチは、例えば２ｍｍである。また、バスバー電極１１２の上には、タブ配線２０が接合される。
【００１９】
図３は、太陽電池セル１１の積層構造を表す断面図である。なお、同図は、図２における太陽電池セル１１のＩＩＩ−ＩＩＩ断面図である。
【００２０】
太陽電池セル１１は、板状の形状であり、互いに平行な表面１１ａおよび裏面１１ｂを有している。本実施の形態では、表面１１ａ側が主な受光面となっている。
【００２１】
図３に示すように、ｎ型単結晶シリコンウエハ１０１の主面上にｉ型非晶質シリコン膜１２１およびｐ型非晶質シリコン膜１２２が、この順で形成されている。ｎ型単結晶シリコンウエハ１０１、ｉ型非晶質シリコン膜１２１およびｐ型非晶質シリコン膜１２２は、光電変換層を形成し、ｎ型単結晶シリコンウエハ１０１が主たる発電層となる。さらに、ｐ型非晶質シリコン膜１２２上に、受光面電極１０２が形成されている。図２に示したように、受光面電極１０２上には、複数のバスバー電極１１２および複数のフィンガー電極１１１からなる集電極１１０が形成されている。なお、図３では、集電極１１０のうち、フィンガー電極１１１のみが示されている。
【００２２】
また、ｎ型単結晶シリコンウエハ１０１の裏面には、ｉ型非晶質シリコン膜１２３およびｎ型非晶質シリコン膜１２４が、この順で形成されている。さらに、ｎ型非晶質シリコン膜１２４上に、受光面電極１０３が形成され、受光面電極１０３上に、複数のバスバー電極１１２および複数のフィンガー電極１１１からなる集電極１１０が形成されている。
【００２３】
受光面電極１０２および１０３は、例えば、ＩＴＯ（インジウム錫酸化物）、ＳｎＯ２（酸化錫）、ＺｎＯ（酸化亜鉛）などからなる透明電極である。なお、太陽電池セル１１は、片面受光型であってもよいし、両面受光型であってもよい。太陽電池セル１１の種類は、特に限定されない。太陽電池セル１１は、例えば、多結晶系半導体、薄膜系半導体等、種々の半導体材料を用いて構成することができる。
【００２４】
図４は、太陽電池モジュール１の列方向における構造断面図である。具体的には、図４は、図１の太陽電池モジュール１におけるＩＶ−ＩＶ断面図である。
【００２５】
図４に示すように、太陽電池モジュール１は、表面および裏面に集電極１１０が形成された太陽電池セル１１と、タブ配線２０と、充填部材１７０と、表面保護部材１８０および裏面保護部材１９０とを備える。
【００２６】
タブ配線２０は、長尺状の導電性配線であって、例えば、リボン状の金属箔である。タブ配線２０の一端部の下面は、一方の太陽電池セル１１の表面側のバスバー電極１１２（図２参照）に、バスバー電極１１２の長尺方向に沿って接合される。また、タブ配線２０の他端部の上面は、他方の太陽電池セル１１の裏面側のバスバー電極に、バスバー電極１１２の長尺方向に沿って接合される。これにより、列方向に配置された複数の太陽電池セル１１からなる太陽電池ストリングは、当該複数の太陽電池セル１１が列方向に直列接続された構成となっている。
【００２７】
タブ配線２０とバスバー電極１１２（図２参照）とは、樹脂と導電性粒子とを含む導電性接着剤または半田等により接合される。つまり、導電性接着剤または半田等は、バスバー電極１１２とタブ配線２０とが受光面を平面視した場合に重なるように、バスバー電極１１２とタブ配線２０とを接合する。これにより、タブ配線２０は、導電性接着剤または半田等を介して太陽電池セル１１に電気的および機械的に接続される。
【００２８】
これらの構成により、太陽電池セル１１で生成された受光電荷は、フィンガー電極１１１、バスバー電極１１２、タブ配線２０、および、わたり配線３０を経由して外部に出力される。
【００２９】
［２．太陽電池モジュールの具体的構成］
次に、太陽電池モジュール１の具体的構造について、図５〜図７を参照しながら説明する。
【００３０】
図５は、太陽電池モジュール１の太陽電池セル１１の配置例を示す図である。なお図５では、太陽電池セル１１、パネル１４および枠体１５の厚みの図示を省略している。この例では、自動車２００の前後方向が前述した行方向（図１参照）となり、幅方向が列方向となっている。
【００３１】
図５に示すように、自動車２００のルーフ１６は、前方および後方に曲がった形状を有している。太陽電池モジュール１は、例えば、自動車２００のルーフ１６上に設置される。太陽電池モジュール１のパネル１４は、ルーフ１６に沿って配置されるため、少なくとも一部が湾曲形状を有する。パネル１４は、中央部などの一部に平坦な部分が存在してもよいし、全体が湾曲していてもよい。複数の太陽電池セル１１は、ルーフ１６の形状に沿ったパネル１４の内部にて行列状に配置されている。
【００３２】
なお、太陽電池モジュール１は、自動車２００のルーフに限られず、列車、船または建物の屋根の上に設置されてもよい。また、上記では、複数の太陽電池セル１１がルーフ１６に沿って配置される例を示したが、それに限られない。例えば、太陽電池モジュール１を覆うようにカバーガラス等の透明体が設けられる場合、太陽電池セル１１は、この透明体に沿って配置されてもよい。
【００３３】
図６は、太陽電池モジュール１の太陽電池セルの接続例を模式的に示す図であり、図６の（ａ）は、太陽電池モジュール１の平面図であり、図６の（ｂ）は、太陽電池モジュール１を図６の（ａ）に示すＶＩｂ−ＶＩｂ線で切断した場合の断面図である。なお、図６の（ｂ）では、配線、充填部材、保護部材等の図示が省略されている。図７は、タブ配線とわたり配線との接続点を示す拡大図である。
【００３４】
図６の（ａ）に示すように、太陽電池モジュール１は、パネル１４内に行列状に配置された複数の太陽電池セルＣ１１〜Ｃ５６を有している。図６の（ａ）における破線は、各太陽電池セルＣ１１〜Ｃ５６の接続経路を示している。なお、各太陽電池セルＣ１１〜Ｃ５６は、前述した太陽電池セル１１に相当する。
【００３５】
ここで、太陽電池モジュール１を平面視して、太陽電池セルＣ１１〜Ｃ５６が並ぶ一方の方向を第１方向Ｄ１とし、第１方向Ｄ１に直交する方向を第２方向Ｄ２とする。第１方向Ｄ１は、図１に示す行方向に相当し、第２方向Ｄ２は、図１に示す列方向に相当する。
【００３６】
太陽電池モジュール１は、第１方向Ｄ１に順に配置されたセル群Ｇ１、Ｇ２およびＧ３を有している。各セル群Ｇ１〜Ｇ３は、複数の太陽電池セルのグループによって構成されている。各セル群Ｇ１〜Ｇ３が有する太陽電池セルの数は、同じである。セル群Ｇ１〜Ｇ３の間の太陽電池セルは、電気的に並列接続されている。また、各セル群Ｇ１〜Ｇ３内にて隣り合う太陽電池セルは、直列接続されている。
【００３７】
より具体的には、セル群Ｇ１は、以下の順で直列接続された複数の太陽電池セルＣ１１、Ｃ２１、Ｃ３１、Ｃ４１、Ｃ５１、Ｃ５２、Ｃ４２、Ｃ３２、Ｃ２２およびＣ１２によって構成されている。例えば、第２方向Ｄ２に隣り合う太陽電池セルＣ３１、Ｃ４１は、タブ配線２０ａによって直列接続されている。例えば、第２方向Ｄ２に隣り合う太陽電池セルＣ４２、Ｃ３２は、タブ配線２０ｂによって直列接続されている。第１方向Ｄ１に隣り合う太陽電池セルＣ５１、Ｃ５２は、第１方向Ｄ１に延びる繋ぎ配線２１によって直列接続されている。タブ配線２０ａ、２０ｂおよび繋ぎ配線２１は、電気的に直列接続され、かつ、わたり配線３０ａ、３０ｂに電気的に接続されている。
【００３８】
セル群Ｇ２は、以下の順で直列接続された複数の太陽電池セルＣ１３、Ｃ２３、Ｃ３３、Ｃ４３、Ｃ５３、Ｃ５４、Ｃ４４、Ｃ３４、Ｃ２４およびＣ１４によって構成されている。例えば、第２方向Ｄ２に隣り合う太陽電池セルＣ３３、Ｃ４３は、タブ配線２０ｃによって直列接続されている。例えば、第２方向Ｄ２に隣り合う太陽電池セルＣ４４、Ｃ３４は、タブ配線２０ｄによって直列接続されている。第１方向Ｄ１に隣り合う太陽電池セルＣ５３、Ｃ５４は、第１方向Ｄ１に延びる繋ぎ配線２２によって直列接続されている。タブ配線２０ｃ、２０ｄおよび繋ぎ配線２２は、電気的に直列接続されている。タブ配線２０ｃは、タブ配線２０ｃおよびわたり配線３０ａの接続点であるノードｎ１に接続され、タブ配線２０ｄは、タブ配線２０ｄおよびわたり配線３０ｂの接続点であるノードｎ２に接続されている（図７参照）。
【００３９】
セル群Ｇ３は、以下の順で直列接続された複数の太陽電池セルＣ１５、Ｃ２５、Ｃ３５、Ｃ４５、Ｃ５５、Ｃ５６、Ｃ４６、Ｃ３６、Ｃ２６およびＣ１６によって構成されている。例えば、第２方向Ｄ２に隣り合う太陽電池セルＣ３５、Ｃ４５は、タブ配線２０ｅによって直列接続されている。例えば、第２方向Ｄ２に隣り合う太陽電池セルＣ４６、Ｃ３６は、タブ配線２０ｆによって直列接続されている。第１方向Ｄ１に隣り合う太陽電池セルＣ５５、Ｃ５６は、第１方向Ｄ１に延びる繋ぎ配線２３によって直列接続されている。タブ配線２０ｅ、２０ｆおよび繋ぎ配線２３は、電気的に直列接続されている。タブ配線２０ｅは、タブ配線２０ｅおよびわたり配線３０ａの接続点であるノードｎ３に接続され、タブ配線２０ｆは、タブ配線２０ｆおよびわたり配線３０ｂの接続点であるノードｎ４に接続されている（図７参照）。
【００４０】
このように、太陽電池モジュール１は、直列接続されている太陽電池セルおよび並列接続されている太陽電池セルの両方の接続構造を有している。
【００４１】
図６の（ｂ）に示すように、太陽電池セルＣ１１〜Ｃ１６は、パネル１４内に配置されている。パネル１４は、第２方向Ｄ２から見た場合、少なくとも一部が湾曲状の形状を有している。各太陽電池セルＣ１１〜Ｃ１６は、第２方向Ｄ２から見た場合、パネル１４の湾曲形状に応じて湾曲状に変形している。また、例えばセル群Ｇ１の太陽電池セルとセル群Ｇ３の太陽電池セルとは、第２方向Ｄ２から見て比較した場合、太陽電池セルの受光面すなわち表面１１ａが異なる方向を向いている。
【００４２】
ここで、太陽電池モジュール１の構造を詳しく説明するため、１行目に並ぶ太陽電池セルＣ１１〜Ｃ１６のうち、図６の紙面左方である第１方向Ｄ１の一方端部に配置されている太陽電池セルを一方の太陽電池セルＣ１１と呼び、図６の紙面右方である第１方向Ｄ１の他方端部（第１方向Ｄ１において一方端部とは反対側の端部）に配置されている太陽電池セルを他方の太陽電池セルＣ１６と呼ぶ。また、複数のセル群Ｇ１〜Ｇ３のうち、第１方向Ｄ１の一方端部に配置されているセル群を一方のセル群Ｇ１と呼び、第１方向Ｄ１の他方端部に配置されているセル群を他方のセル群Ｇ３と呼ぶ。
【００４３】
図８Ａは、図６の（ｂ）に示す太陽電池モジュール１の断面の拡大図である。図８Ｂは、図８Ａに示す太陽電池モジュールのＶＩＩＩＢ部分の拡大図である。なお、図８Ａおよび図８Ｂでは、配線、充填部材、保護部材等の図示が省略されている。
【００４４】
図８Ａに示すように、一方の太陽電池セルＣ１１および他方の太陽電池セルＣ１６は、第２方向Ｄ２から見た場合に、一方の太陽電池セルＣ１１の裏面１１ｂの両端点ｅ１、ｅ２（図８Ｂ参照）を結ぶ第１直線ｆ１と他方の太陽電池セルＣ１６の裏面１１ｂの両端点ｅ１、ｅ２を結ぶ第２直線ｆ２とが互いに交差するように配置されている。第１直線ｆ１と第２直線ｆ２とが交差する角度θ１は、太陽電池セルの特性値、数および接続形態から求められる直列抵抗損失等によって適宜決められ、例えば１７０°以下に設定される。また、角度θ１は、ルーフ１６のデザインまたは配線の許容曲げ角度等によって決まる値であり、例えば１５０°以上に設定される。
【００４５】
なお、太陽電池セルＣ１１、Ｃ１６は、第１方向Ｄ１に並ぶ太陽電池セルＣ１１〜Ｃ１６のうち、交差する角度θ１が最も小さくなる２つの太陽電池セルであるが、交差する角度θ１が最も小さくなる２つの太陽電池セルは、これに限られない。例えば、太陽電池セルＣ１１の代わりに太陽電池セルＣ２１を当てはめ、太陽電池セルＣ１６の代わりに太陽電池セルＣ２６を当てはめても上記と同様のことがいえる。
【００４６】
ここで、第１方向Ｄ１に並ぶ太陽電池セルＣ１１〜Ｃ１６の端点ｅ１、ｅ２のうち第１方向Ｄ１において最外に位置する２つの端点を結ぶ直線、すなわち、太陽電池セルＣ１１の端点ｅ１と太陽電池セルＣ１６の端点ｅ２とを結ぶ直線を第１基準直線ＳＬ１と定義すると、図８Ａに示すように、一方の太陽電池セルＣ１１は、上記第１直線ｆ１が第１基準直線ＳＬ１に対して第１の傾きα１を有するように配置され、他方の太陽電池セルＣ１６は、上記第２直線ｆ２が第１基準直線ＳＬ１に対して第２の傾きα２を有するように配置されている。第１の傾きα１および第２の傾きα２は、第１基準直線ＳＬ１を基準として、異なる回転方向に傾いている。具体的には、第１の傾きα１は、第１基準直線ＳＬ１に対して反時計回りに傾き、第２の傾きα２は、第１基準直線ＳＬ１に対して時計回りに傾いている。各傾きα１、α２は、太陽電池セルの特性値、数および接続形態から求められる直列抵抗損失等によって適宜決められ、例えば５°以上に設定される。また、各傾きα１、α２は、ルーフ１６のデザインまたは配線の許容曲げ角度等によって決まる値であり、例えば１５°以下に設定される。
【００４７】
なお、第１方向Ｄ１に並ぶ太陽電池セルＣ１１〜Ｃ１６のうち、太陽電池セルＣ１１は第１の傾きα１が最も大きく、太陽電池セルＣ１６は第２の傾きα２が最も大きくなる太陽電池セルであるが、各傾きα１、α２が最も大きくなる太陽電池セルは、これらに限られない。例えば、太陽電池セルＣ１１の代わりにセル群Ｇ１の太陽電池セルＣ２１、Ｃ３１、Ｃ４１またはＣ５１を当てはめても上記と同様のことがいえる。また、太陽電池セルＣ１６の代わりにセル群Ｇ３の太陽電池セルＣ２６、Ｃ３６、Ｃ４６またはＣ５６を当てはめても上記と同様のことがいえる。
【００４８】
次に、第２方向Ｄ２における太陽電池モジュール１の構造について、図９Ａおよび図９Ｂを参照しながら説明する。
【００４９】
図９Ａは、図６の（ａ）に示す太陽電池モジュール１をＩＸ−ＩＸ線で切断した場合の断面の拡大図である。図９Ｂは、図９Ａに示す太陽電池モジュール１のＩＸＢ部分の拡大図である。なお、図９Ａおよび図９Ｂでは、配線、充填部材、保護部材等の図示が省略されている。
【００５０】
ここで、第２方向Ｄ２に並ぶ太陽電池セルＣ１１、Ｃ２１、Ｃ３１、Ｃ４１、Ｃ５１の端点ｅ３、ｅ４のうち第２方向Ｄ２において最外に位置する２つの端点を結ぶ直線、すなわち、太陽電池セルＣ１１の端点ｅ３と太陽電池セルＣ５１の端点ｅ４とを結ぶ直線を第２基準直線ＳＬ２と定義すると、図９Ａに示すように、第２方向Ｄ２に並ぶ１列目の太陽電池セルＣ１１、Ｃ２１、Ｃ３１、Ｃ４１、Ｃ５１は、第２基準直線ＳＬ２に沿って配置されている。パネル１４は、第１方向Ｄ１から見た場合、少なくとも一部が湾曲状の形状を有している。また、太陽電池セルＣ１１、Ｃ２１、Ｃ３１、Ｃ４１、Ｃ５１は、第１方向Ｄ１から見た場合、パネル１４の湾曲形状に応じて湾曲状に変形している。例えば、太陽電池セルＣ１１と太陽電池セルＣ５１とは、第１方向Ｄ１から見て比較した場合、太陽電池セルの受光面すなわち表面１１ａが異なる方向を向いている。ただし、第２方向Ｄ２に並ぶ太陽電池セルの表面１１ａの向きのばらつきは、セル群Ｇ１〜Ｇ３間で比較した場合の各太陽電池セルの表面１１ａの向きのばらつきよりも小さい。
【００５１】
例えば、セル群Ｇ１のうち、太陽電池セルＣ１１、Ｃ２１、Ｃ３１、Ｃ４１およびＣ５１は、第１方向Ｄ１から見た場合、当該太陽電池セルの表面１１ａが互いに異なる方向を向くように配置されているが、当該太陽電池セルの表面１１ａの向きのばらつきは、セル群Ｇ１〜Ｇ３間で比較した場合の各太陽電池セルの表面１１ａの向きのばらつきよりも小さい。
【００５２】
より具体的には、第２方向Ｄ２の一方端部（図９Ａの紙面左方）に配置された太陽電池セルＣ１１は、太陽電池セルＣ１１の裏面１１ｂの両端点ｅ３、ｅ４（図９Ｂ参照）を結ぶ第３直線ｆ３が、第２基準直線ＳＬ２に対して、傾きα３を有するように配置されている。この傾きα３は、第１の傾きα１および第２の傾きα２の少なくとも一方よりも小さい。また、第２方向Ｄ２の他方端部（図９Ａの紙面右方）に配置された太陽電池セルＣ５１は、太陽電池セルＣ５１の裏面１１ｂの両端点ｅ３、ｅ４を結ぶ第４直線ｆ４が、第２基準直線ＳＬ２に対して、傾きα４を有するように配置されている。この傾きα４は、第１の傾きα１および第２の傾きα２の少なくとも一方よりも小さい。
【００５３】
なお、上記では第２方向Ｄ２に並ぶ太陽電池セルＣ１１、Ｃ５１を代表例に挙げて説明したが、太陽電池セルＣ１１、Ｃ５１の代わりに他の太陽電池セルＣ２１、Ｃ３１、Ｃ４１を当てはめても上記と同様のことがいえる。また、上記ではセル群Ｇ１のうちの第２方向に並ぶ太陽電池セルＣ１１、Ｃ５１を代表例に挙げて説明したが、セル群Ｇ１の太陽電池に限られず、セル群Ｇ２またはＧ３の太陽電池セルにおいても同様のことがいえる。これにより、太陽電池モジュール１では、第２方向Ｄ２に隣り合う太陽電池セルが直列接続されていても、電流値の低下が起きにくい構造となっている。
【００５４】
［３．効果等］
本実施の形態の太陽電池モジュール１の効果を説明するため、先に比較例の太陽電池モジュールについて説明する。
【００５５】
図１０は、比較例の太陽電池モジュール５０１における太陽電池セル５１１の接続例を模式的に示す図である。図１０の（ａ）は、太陽電池モジュール５０１の平面図であり、図１０の（ｂ）は、太陽電池モジュール５０１を図１０の（ａ）に示すＸｂ−Ｘｂ線で切断した場合の断面図である。
【００５６】
図１０の（ａ）に示すように、太陽電池モジュール５０１の複数の太陽電池セル５１１は、行列状に配置され、また、全ての太陽電池セル５１１が、破線で示す経路に沿って直列接続されている。
【００５７】
前述したように自動車２００のルーフ１６は曲がった形状を有しているので、図１０の（ｂ）に示すように、各太陽電池セル５１１は異なる方向を向いて配置される。そのため、各太陽電池セル５１１に入射される日射量が異なり、各太陽電池セル５１１で発生する電流値に差が生じてしまう。そのため、太陽電池モジュール５０１から出力される電流値が、最も小さな電流値に律速されてしまい、太陽電池モジュール５０１の発電量が低下する。
【００５８】
ここで、太陽電池モジュールの各セル群Ｇ１〜Ｇ３にて発生する電流値が、それぞれ電流値Ｉ１、Ｉ２、Ｉ３であるとして、比較例の太陽電池モジュール５０１および実施の形態の太陽電池モジュール１にて発電される電力を比べる。
【００５９】
比較例のように太陽電池セル５１１の全てが直列接続されている場合、太陽電池モジュール５０１から出力される電流値は、例えば各セル群Ｇ１〜Ｇ３にて発生する電流がＩ１＞Ｉ２＞Ｉ３の関係を有すると、電流値Ｉ３に律速される。各セル群Ｇ１、Ｇ２、Ｇ３の各太陽電池セルの構造が実質的に同一であり、かつ、電気的な特性が実質的に均等である場合は、各セル群Ｇ１、Ｇ２、Ｇ３の各電圧Ｖ１、Ｖ２、Ｖ３がほぼ等しく、各電圧がＶ１＝Ｖ２＝Ｖ３＝Ｖであると、セル群Ｇ１〜Ｇ３の合計電圧は３×Ｖとなり、太陽電池モジュール５０１の発電量である電力Ｐ０は、Ｐ０＝Ｉ３×３×Ｖとなる。
【００６０】
それに対し実施の形態のように、セル群Ｇ１〜Ｇ３内の各太陽電池セルが直列接続され、かつ、セル群Ｇ１〜Ｇ３の間の太陽電池セルが並列接続されている場合、太陽電池モジュール１から出力される合計の電流は、電流Ｉ１、Ｉ２、Ｉ３の足し算で表される。そのため、各セル群Ｇ１〜Ｇ３にて発生する電流がＩ１＞Ｉ２＞Ｉ３の関係を有していても、合計の電流値は電流値Ｉ３に律速されず、太陽電池モジュール１の発電量である電力Ｐ１は、Ｐ１＝（Ｉ１＋Ｉ２＋Ｉ３）×Ｖ（＞Ｉ３×３×Ｖ）となる。したがって、電力Ｐ１＞電力Ｐ０となり、比較例よりも実施の形態の太陽電池モジュール１の電力が大きくなる。
【００６１】
本実施の形態に係る太陽電池モジュール１は、第１方向Ｄ１に沿って配置された複数の太陽電池セルＣ１１〜Ｃ１６を備える太陽電池モジュールであって、複数の太陽電池セルのうち第１方向Ｄ１の一方端部に配置された一方の太陽電池セルＣ１１と、複数の太陽電池セルのうち第１方向Ｄ１の他方端部に配置された他方の太陽電池セルＣ１６とを備える。一方の太陽電池セルＣ１１および他方の太陽電池セルＣ１６は、第１方向Ｄ１と直交する第２方向Ｄ２から見た場合に、一方の太陽電池セルＣ１１の裏面１１ｂの両端点ｅ１、ｅ２を結ぶ第１直線ｆ１と他方の太陽電池セルＣ１６の裏面１１ｂの両端点ｅ１、ｅ２を結ぶ第２直線ｆ２とが互いに交差するように配置され、かつ、電気的に並列接続されている。
【００６２】
このように、一方の太陽電池セルＣ１１の裏面１１ｂの両端点ｅ１、ｅ２を結ぶ第１直線ｆ１、および、他方の太陽電池セルＣ１６の裏面１１ｂの両端点ｅ１、ｅ２を結ぶ第２直線ｆ２が互いに交差するように、太陽電池セルＣ１１、Ｃ１６が配置されている場合であっても、太陽電池セルＣ１１、Ｃ１６が電気的に並列接続されることで、相手の太陽電池セル（例えば太陽電池セルＣ１６）の電流値に律速されて自身の太陽電池セル（例えば太陽電池セルＣ１１）の電流値が低下することを抑制できる。これにより、太陽電池モジュール１の発電量が低下することを抑制できる。
【００６３】
また、太陽電池モジュール１は、第２方向Ｄ２に沿って配置された複数の一方の太陽電池セルＣ１１、Ｃ２１、Ｃ３１、Ｃ４１、Ｃ５１、Ｃ５２、Ｃ４２、Ｃ３２、Ｃ２２およびＣ１２を有する一方のセル群Ｇ１と、第２方向Ｄ２に沿って配置された複数の他方の太陽電池セルＣ１５、Ｃ２５、Ｃ３５、Ｃ４５、Ｃ５５、Ｃ５６、Ｃ４６、Ｃ３６、Ｃ２６およびＣ１６を有する他方のセル群Ｇ３と、を備え、一方のセル群Ｇ１内にて隣り合う一方の太陽電池セルは、直列接続され、他方のセル群Ｇ３内にて隣り合う他方の太陽電池セルは、直列接続され、一方のセル群Ｇ１の一方の太陽電池セルおよび他方のセル群Ｇ３の他方の太陽電池セルは、電気的に並列接続されていてもよい。
【００６４】
このように、太陽電池セルＣ１１を含む一方のセル群Ｇ１と、太陽電池セルＣ１６を含む他方のセル群Ｇ３とが電気的に並列接続されることで、相手のセル群（例えばセル群Ｇ３）の電流値に律速されて自身のセル群（例えばセル群Ｇ１）の電流値が低下することを抑制できる。これにより、太陽電池モジュール１の発電量が低下することを抑制できる。
【００６５】
また、セル群Ｇ１とセル群Ｇ３とを並列接続することで、セル群Ｇ１とセル群Ｇ３とを直列接続した場合に比べて、バイパスダイオードの数を減らすことができる。
【００６６】
また、第１方向Ｄ１に並ぶ太陽電池セルＣ１１〜Ｃ１６の端点ｅ１、ｅ２のうち第１方向Ｄ１において最外に位置する２つの端点を結ぶ直線を第１基準直線ＳＬ１とした場合、一方の太陽電池セルＣ１１は、上記第１直線ｆ１が第１基準直線ＳＬ１に対して第１の傾きα１を有するように配置され、他方の太陽電池セルＣ１６は、上記第２直線ｆ２が第１基準直線ＳＬ１に対して第２の傾きα２を有するように配置され、第１の傾きα１および第２の傾きα２は、第１基準直線ＳＬ１を基準として、異なる回転方向に傾いていてもよい。
【００６７】
このように、一方の太陽電池セルＣ１１および他方の太陽電池セルＣ１６が、異なる回転方向に傾いている場合であっても、太陽電池セルＣ１１、Ｃ１６が電気的に並列接続されることで、相手の太陽電池セルの電流値に律速されて自身の太陽電池セルの電流値が低下することを抑制できる。これにより、太陽電池モジュール１の発電量が低下することを抑制できる。
【００６８】
また、一方のセル群Ｇ１は、複数の一方の太陽電池セルのうち第２方向Ｄ２の一方端部に配置された太陽電池セルＣ１１と、第２方向Ｄ２の他方端部に配置された太陽電池セルＣ５１とを有し、第２方向Ｄ２に並ぶ太陽電池セルＣ１１、Ｃ２１、Ｃ３１、Ｃ４１、Ｃ５１の端点ｅ３、ｅ４のうち第２方向Ｄ２において最外に位置する２つの端点を結ぶ直線を第２基準直線ＳＬ２とした場合で、かつ、第１方向Ｄ１から見た場合に、当該一方端部に配置された太陽電池セルＣ１１の裏面１１ｂの両端点ｅ３、ｅ４を結ぶ第３直線ｆ３は、第２基準直線ＳＬ２に対して、第１の傾きα１および第２の傾きα２の少なくとも一方よりも小さな傾きα３で配置され、当該他方端部に配置された太陽電池セルの裏面１１ｂの両端点ｅ３、ｅ４を結ぶ第４直線ｆ４は、第２基準直線ＳＬ２に対して、第１の傾きα１および第２の傾きα２の少なくとも一方よりも小さな傾きα４で配置されていてもよい。
【００６９】
このように、第２方向Ｄ２に並ぶ太陽電池セルＣ１１、Ｃ５１が小さな傾きで配置されることで、太陽電池セルＣ１１、Ｃ５１の電流値の差を、第１方向Ｄ１に並ぶ太陽電池セルＣ１１、Ｃ１６の電流値の差よりも小さくすることができる。これにより、セル群Ｇ１内において、相手の太陽電池セル（例えば太陽電池セルＣ５１）の電流値に律速されて自身の太陽電池セル（例えば太陽電池セルＣ１１）の電流値が低下することを抑制し、かつ、セル群Ｇ１、Ｇ３間でも自身の太陽電池セルの電流値が低下することを抑制できる。これにより、太陽電池モジュール１の発電量が低下することを抑制できる。
【００７０】
また、一方のセル群Ｇ１の太陽電池セルの数は、他方のセル群Ｇ３の太陽電池セルの数と同じであってもよい。
【００７１】
この構成によれば、セル群Ｇ１の電圧およびセル群Ｇ３の電圧がほぼ等しくなり、並列することが可能となる。
【００７２】
また、太陽電池モジュール１は、さらに、複数の太陽電池セルを内包する板状のパネル１４を備え、パネル１４は、第２方向Ｄ２から見た場合に、少なくとも一部が湾曲状の形状を有していてもよい。
【００７３】
このように、パネル１４が湾曲状の形状を有し、上記第１直線ｆ１および上記第２直線ｆ２が互いに交差するように太陽電池セルＣ１１、Ｃ１６が設けられている場合であっても、太陽電池セルＣ１１、Ｃ１６が電気的に並列接続されことで、相手の太陽電池セルの電流値に律速されて自身の太陽電池セルの電流値が低下することを抑制できる。これにより、太陽電池モジュール１の発電量が低下することを抑制できる。
【００７４】
［４．実施の形態の変形例］
次に、実施の形態の変形例に係る太陽電池モジュール１について、図１１を参照しながら説明する。変形例では、太陽電池モジュール１が、６つのセル群Ｇ１〜Ｇ６を備えている例について説明する。
【００７５】
図１１は、変形例の太陽電池モジュール１の太陽電池セルの接続例を模式的に示す図である。図１１の（ａ）は、変形例の太陽電池モジュール１の平面図であり、図１１の（ｂ）は、変形例の太陽電池モジュール１を図１１の（ａ）に示すＸＩｂ−ＸＩｂ線で切断した場合の断面図である。なお、図１１の（ｂ）では、配線、充填部材、保護部材等の図示が省略されている。
【００７６】
図１１の（ａ）に示すように、太陽電池モジュール１は、パネル１４内に行列状に配置された複数の太陽電池セルＣ１１〜Ｃ５６を有している。図１１の（ａ）における破線は、各太陽電池セルの接続経路を示している。
【００７７】
太陽電池モジュール１は、第１方向Ｄ１に順に配置されたセル群Ｇ１、Ｇ２、Ｇ４、Ｇ５およびＧ６を有している。各セル群Ｇ１〜Ｇ６は、複数の太陽電池セルのグループによって構成されている。各セル群Ｇ１〜Ｇ６の太陽電池セルの数は、同じである。セル群Ｇ１〜Ｇ６は、電気的に並列接続されている。また、各セル群Ｇ１〜Ｇ６内にて隣り合う太陽電池セルは、直列接続されている。
【００７８】
一方のセル群Ｇ１は、以下の順で直列接続された複数の太陽電池セルＣ１１、Ｃ２１、Ｃ３１、Ｃ４１およびＣ５１によって構成されている。例えば、セル群Ｇ１内にて第２方向Ｄ２に隣り合う太陽電池セルＣ３１、Ｃ４１は、タブ配線２０ａによって直列接続され、わたり配線３０ａ、３０ｂのそれぞれに電気的に接続されている。
【００７９】
セル群Ｇ２は、以下の順で直列接続された複数の太陽電池セルＣ１２、Ｃ２２、Ｃ３２、Ｃ４２およびＣ５２によって構成されている。例えば、セル群Ｇ２内にて第２方向Ｄ２に隣り合う太陽電池セルＣ３２、Ｃ４２は、タブ配線２０ｂによって直列接続され、わたり配線３０ａ、３０ｂのそれぞれに電気的に接続されている。
【００８０】
セル群Ｇ３は、以下の順で直列接続された複数の太陽電池セルＣ１３、Ｃ２３、Ｃ３３、Ｃ４３およびＣ５３によって構成されている。例えば、セル群Ｇ３内にて第２方向Ｄ２に隣り合う太陽電池セルＣ３３、Ｃ４３は、タブ配線２０ｃによって直列接続され、わたり配線３０ａ、３０ｂのそれぞれに電気的に接続されている。
【００８１】
セル群Ｇ４は、以下の順で直列接続された複数の太陽電池セルＣ１４、Ｃ２４、Ｃ３４、Ｃ４４およびＣ５４によって構成されている。例えば、セル群Ｇ４内にて第２方向Ｄ２に隣り合う太陽電池セルＣ３４、Ｃ４４は、タブ配線２０ｄによって直列接続され、わたり配線３０ａ、３０ｂのそれぞれに電気的に接続されている。
【００８２】
セル群Ｇ５は、以下の順で直列接続された複数の太陽電池セルＣ１５、Ｃ２５、Ｃ３５、Ｃ４５およびＣ５５によって構成されている。例えば、セル群Ｇ５内にて第２方向Ｄ２に隣り合う太陽電池セルＣ３５、Ｃ４５は、タブ配線２０ｅによって直列接続され、わたり配線３０ａ、３０ｂのそれぞれに電気的に接続されている。
【００８３】
他方のセル群Ｇ６は、以下の順で直列接続された複数の太陽電池セルＣ１６、Ｃ２６、Ｃ３６、Ｃ４６およびＣ５６によって構成されている。例えば、セル群Ｇ６内にて第２方向Ｄ２に隣り合う太陽電池セルＣ３６、Ｃ４６は、タブ配線２０ｆによって直列接続され、わたり配線３０ａ、３０ｂのそれぞれに電気的に接続されている。
【００８４】
このように、変形例の太陽電池モジュール１も、直列接続されている太陽電池セルおよび並列接続されている太陽電池セルの両方の接続構造を有している。
【００８５】
図１１の（ｂ）に示すように、太陽電池セルＣ１１〜Ｃ１６は、パネル１４内に配置されている。パネル１４は、湾曲状の形状を有している。例えば、セル群Ｇ１の太陽電池セルとセル群Ｇ６の太陽電池セルとは、第２方向Ｄ２から見て比較した場合、太陽電池セルの受光面すなわち表面１１ａが異なる方向を向いている。
【００８６】
より具体的には、図８Ａと同様に、一方の太陽電池セルＣ１１および他方の太陽電池セルＣ１６は、第２方向Ｄ２から見た場合に、一方の太陽電池セルＣ１１の裏面１１ｂの両端点ｅ１、ｅ２を結ぶ第１直線ｆ１と他方の太陽電池セルＣ１６の裏面１１ｂの両端点ｅ１、ｅ２を結ぶ第２直線ｆ２とが互いに交差するように配置されている。
【００８７】
また、第１の傾きα１および第２の傾きα２は、第１基準直線ＳＬ１を基準として、異なる回転方向に傾いている。具体的には、第１の傾きα１は、第１基準直線ＳＬ１に対して反時計回りに傾き、第２の傾きα２は、第１基準直線ＳＬ１に対して時計回りに傾いている。
【００８８】
変形例においても、一方の太陽電池セルＣ１１および他方の太陽電池セルＣ１６は、上記第１直線ｆ１と上記第２直線ｆ２とが互いに交差するように配置され、かつ、電気的に並列接続されている。
【００８９】
このように、第１直線ｆ１と第２直線ｆ２とが互いに交差するように一方の太陽電池セルＣ１１および他方の太陽電池セルＣ１６が配置されている場合であっても、太陽電池セルＣ１１、Ｃ１６が電気的に並列接続されることで、相手の太陽電池セルの電流値に律速されて自身の太陽電池セルの電流値が低下することを抑制できる。これにより、太陽電池モジュール１の発電量が低下することを抑制できる。
【００９０】
（その他の実施の形態）
以上、本発明に係る太陽電池モジュール１について、実施の形態および変形例に基づいて説明したが、本発明は、上記の実施の形態および変形例に限定されるものではない。
【００９１】
例えば、実施の形態に係る太陽電池モジュール１が２つのセル群Ｇ１およびＧ２によって構成されていてもよい。具体的には、一方のセル群Ｇ１が、以下の順で直列接続された複数の太陽電池セルＣ１１、Ｃ２１、Ｃ３１、Ｃ４１、Ｃ５１、Ｃ５２、Ｃ４２、Ｃ３２、Ｃ２２、Ｃ１２、Ｃ１３、Ｃ２３、Ｃ３３、Ｃ４３およびＣ５３で構成され、他方のセル群Ｇ２が、以下の順で直列接続された複数の太陽電池セルＣ５４、Ｃ４４、Ｃ３４、Ｃ２４、Ｃ１４、Ｃ１５、Ｃ２５、Ｃ３５、Ｃ４５、Ｃ５５、Ｃ５６、Ｃ４６、Ｃ３６、Ｃ２６およびＣ１６で構成され、一方のセル群Ｇ１および他方のセル群Ｇ２が電気的に並列接続されていてもよい。
【００９２】
例えば、実施の形態に係る太陽電池モジュール１において、セル群Ｇ２は、わたり配線のノードｎ１、ｎ２のそれぞれに接続され、セル群Ｇ３は、わたり配線のノードｎ３、ｎ４のそれぞれに接続されている（図７参照）。この場合、太陽電池モジュール１の電力の出力側には、セル群Ｇ１〜Ｇ３にて発生した電流が流れるので、ノードｎ３またはｎ４にて用いられる配線は、ノードｎ１またはｎ２にて用いられる配線よりも配線抵抗が低い部材であってもよい。
【００９３】
例えば、実施の形態では、第１直線ｆ１および第２直線ｆ２のそれぞれを太陽電池セルの裏面１１ｂの両端点ｅ１、ｅ２に基づいて定義したが、それに限られない。太陽電池セルの裏面１１ｂおよび表面１１ａは互いに平行なので、第１直線ｆ１および第２直線ｆ２のそれぞれを、太陽電池セルの表面１１ａの両端点に基づいて定義しても実質的に同じである。すなわち上記実施の形態において、一方の太陽電池セルＣ１１および他方の太陽電池セルＣ１６が、第２方向Ｄ２から見た場合に、一方の太陽電池セルＣ１１の表面１１ａの両端点を結ぶ第１直線と他方の太陽電池セルＣ１６の表面１１ａの両端点を結ぶ第２直線とが互いに交差するように配置されている場合も本発明に含まれる。
【００９４】
例えば、太陽電池モジュールは、移動体、例えば自動車（四輪車に限られず、二輪車、三輪車であってもよい）、自転車（電動アシスト自転車等）、電車、または船舶などに搭載されてもよい。自動車の例としては、車両駆動用のモーターを備えた電気またはハイブリッド自動車が挙げられる。
【００９５】
その他、上記実施の形態および変形例に対して当業者が思いつく各種変形を施して得られる形態や、本発明の趣旨を逸脱しない範囲で実施の形態および変形例における構成要素および機能を任意に組み合わせることで実現される形態も本発明に含まれる。
【符号の説明】
【００９６】
１      太陽電池モジュール
１１、Ｃ１１〜Ｃ１６、Ｃ２１〜Ｃ２６、Ｃ３１〜Ｃ３６、Ｃ４１〜Ｃ４６、Ｃ５１〜Ｃ５６  太陽電池セル
１１ｂ  裏面
１４    パネル
１５    枠体
１６    ルーフ
２０、２０ａ、２０ｂ、２０ｃ、２０ｄ、２０ｅ、２０ｆ  タブ配線
Ｄ１    第１方向
Ｄ２    第２方向
ｅ１、ｅ２、ｅ３、ｅ４  端点
ｆ１    第１直線
ｆ２    第２直線
ｆ３    第３直線
ｆ４    第４直線
Ｇ１、Ｇ２、Ｇ３、Ｇ４、Ｇ５、Ｇ６  セル群
ｎ１、ｎ２、ｎ３、ｎ４  ノード
ＳＬ１  第１基準直線
ＳＬ２  第２基準直線
α１、α２、α３、α４  傾き
θ１  角度
【図１】
2020167280.tif 000003
【図２】
2020167280.tif 000004
【図３】
2020167280.tif 000005
【図４】
2020167280.tif 000006
【図５】
2020167280.tif 000007
【図６】
2020167280.tif 000008
【図７】
2020167280.tif 000009
【図８Ａ】
2020167280.tif 000010
【図８Ｂ】
2020167280.tif 000011
【図９Ａ】
2020167280.tif 000012
【図９Ｂ】
2020167280.tif 000013
【図１０】
2020167280.tif 000014
【図１１】
2020167280.tif 000015